(57)【要約】【課題】  本発明の目的は、操作部材に機能を割り当てる際のユーザの操作性を向上させることである。【解決手段】  装着するレンズを変更可能な撮像制御装置であって、回転部材である所定の操作部材への機能を割り当て可能な割当手段と、所定の条件を満たさない第１のレンズが装着されている場合には、前記所定の操作部材への操作に応じて行われる機能に絞り値を設定し、所定の条件を満たす第２のレンズが装着されている場合には、前記所定の操作部材への操作に応じて行われる機能にシャッター速度を設定するように制御する制御手段とを有することを特徴とする撮像制御装置。【選択図】  図４
2019040044.tif 000002
【特許請求の範囲】
【請求項１】
装着するレンズを変更可能な撮像制御装置であって、
回転部材である所定の操作部材への機能を割り当て可能な割当手段と、
所定の条件を満たさない第１のレンズが装着されている場合には、前記所定の操作部材への操作に応じて行われる機能に絞り値を設定し、所定の条件を満たす第２のレンズが装着されている場合には、前記所定の操作部材への操作に応じて行われる機能にシャッター速度を設定するように制御する制御手段とを有することを特徴とする撮像制御装置。
【請求項２】
装着するレンズを変更可能な撮像制御装置であって、
回転部材である所定の操作部材への機能を割り当て可能な割当手段と、
前記撮像制御装置は、所定の条件を満たさないレンズのうち、第３のレンズと、前記第３のレンズよりも回転部材の多い第４のレンズと前記所定の操作部材を介して装着可能であって、
前記第３のレンズが装着されている場合には、前記所定の操作部材への機能としてユーザの機能を設定する操作なしに所定の機能を割り当て、前記第４のレンズが装着されている場合には、前記所定の操作部材への機能としてユーザの機能を設定する操作なしに前記所定の機能を割り当てないように制御する制御手段とを有することを特徴とする撮像制御装置。
【請求項３】
前記制御手段は、所定の条件を満たさない第１のレンズが装着されている場合には、前記所定の操作部材への操作に応じて行われる機能に絞り値を設定し、所定の条件を満たす第２のレンズが装着されている場合には、前記所定の操作部材への操作に応じて行われる機能にシャッター速度を設定するように制御することを特徴とする請求項２に記載の撮像制御装置。
【請求項４】
前記所定の機能は、撮影の絞り値の設定を変更する機能であることを特徴とする請求項２または３に記載の撮像制御装置。
【請求項５】
所定の条件を満たすレンズは望遠レンズ、そうでないのは標準レンズまたは広角レンズであることを特徴とする請求項１乃至４のいずれか１項に記載の撮像制御装置。
【請求項６】
前記第３のレンズは、ピントリングを有し、前記第４のレンズはピントリングとズームリングとを有することを特徴とする請求項２乃至４のいずれか１項に記載の撮像制御装置。
【請求項７】
装着されたレンズに関する情報を取得可能な取得手段と、
レンズ毎に前記所定の操作部材へ割り当てる機能を記録する記録手段とをさらに有し、
前記制御手段は、前記取得手段により取得されたレンズ情報により、当該レンズ情報に対応する前記所定の操作部材へ割り当てる機能が前記記録手段に記録されている場合には、記録されている機能を前記所定の操作部材の機能として割り当てるように制御することを特徴とする請求項１乃至６のいずれか１項に記載の撮像制御装置。
【請求項８】
前記所定の操作部材と接続可能な接続手段をさらに有し、
前記接続手段は、レンズとも接続可能であることを特徴とする請求項１乃至７のいずれか１項に記載の撮像制御装置。
【請求項９】
装着するレンズを変更可能な撮像制御装置であって、
回転部材である所定の操作部材への機能を割り当て可能な割当ステップと、
所定の条件を満たさない第１のレンズが装着されている場合には、前記所定の操作部材への操作に応じて行われる機能に絞り値を設定し、所定の条件を満たす第２のレンズが装着されている場合には、前記所定の操作部材への操作に応じて行われる機能にシャッター速度を設定するように制御する制御ステップとを有することを特徴とする撮像制御装置の制御方法。
【請求項１０】
装着するレンズを変更可能な撮像制御装置であって、
回転部材である所定の操作部材への機能を割り当て可能な割当ステップと、
前記撮像制御装置は、所定の条件を満たさないレンズのうち、第３のレンズと、前記第３のレンズよりも回転部材の多い第４のレンズと前記所定の操作部材を介して装着可能であって、
前記第３のレンズが装着されている場合には、前記所定の操作部材への機能としてユーザの機能を設定する操作なしに所定の機能を割り当て、前記第４のレンズが装着されている場合には、前記所定の操作部材への機能としてユーザの機能を設定する操作なしに前記所定の機能を割り当てないように制御する制御手段とを有することを特徴とする撮像制御装置の制御方法。
【請求項１１】
コンピュータを、請求項１乃至８のいずれか１項に記載された撮像制御装置の各手段として機能させるためのプログラム。
【請求項１２】
コンピュータを、請求項１乃至８のいずれか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置およびその制御方法に関し、特に操作部材に機能を割り当てる際の技術に関する。
【背景技術】
【０００２】
装着するレンズを変更可能なデジタルカメラにおいて、装着されるレンズに応じたカメラの設定を行う方法がある。特許文献１には、装着されたレンズに対応する露出時間、絞り、ＩＳＯ感度、ＡＦ方式等のカメラの設定情報を読み出し、カメラの設定に反映することが開示されている。また、レンズ部近くにレンズの鏡筒に沿って回転する回転部材を設ける場合がある。特許文献２には、レンズの鏡筒に沿って回転する回転部材の回転に応じて実行する機能を割り当てられることが開示されている。
【先行技術文献】
【特許文献】
【０００３】
【特許文献１】特開２０１６−２１６８４号公報
【特許文献２】特開２０１５−１２６４１８号公報
【発明の概要】
【発明が解決しようとする課題】
【０００４】
特許文献１のように、装着するレンズを変更可能な場合、望遠レンズが装着される可能性も、標準レンズが装着される可能性もある。望遠レンズを使った場合は、そもそもぼけの効果がかかりやすかったり、動体を撮影することが多いので、絞り値の設定よりもシャッター速度の設定の方が、優先度が高くなる可能性が高い。特許文献２では回転部材に機能を割り当てているが、絞り値の設定変更を割り当ててしまうと、望遠レンズの装着時には絞り値の設定変更を設定するよりもユーザの良く使う機能を設定した方がよい。
【０００５】
また、レンズ側に複数の回転部材がある場合がある。このように、複数の回転部材がある場合には、特許文献２に記載のようにレンズ部の回転部材に機能を割り当てると、回転部材同士の距離が近くなるため、ユーザが意図せず操作してしまう可能性がある。
【０００６】
本発明は、上記の課題の少なくとも１つを解決し、操作部材に機能を割り当てる際のユーザの操作性を向上させるようにした撮像制御装置の提供を目的とする。
【課題を解決するための手段】
【０００７】
上記目的を達成するために、本発明の撮像制御装置は、装着するレンズを変更可能な撮像制御装置であって、回転部材である所定の操作部材への機能を割り当て可能な割当手段と、所定の条件を満たさない第１のレンズが装着されている場合には、前記所定の操作部材への操作に応じて行われる機能に絞り値を設定し、所定の条件を満たす第２のレンズが装着されている場合には、前記所定の操作部材への操作に応じて行われる機能にシャッター速度を設定するように制御する制御手段とを有することを特徴とする。
【発明の効果】
【０００８】
本発明によれば、操作部材に機能を割り当てる際のユーザの操作性を向上させることができる。
【図面の簡単な説明】
【０００９】
【図１】本実施形態の構成を適用可能な装置の一例としてのデジタルカメラの外観図
【図２】本実施形態の構成を適用可能な装置の一例としてのデジタルカメラの構成例を示すブロック図
【図３】レンズ、アダプタの一例を示す図
【図４】本実施形態における撮影処理を示すフローチャート
【図５】アダプタとレンズの関係を示す図
【図６】本実施形態における表示例を示す図
【発明を実施するための形態】
【００１０】
以下、図面を参照して本発明の好適な実施形態を説明する。
【００１１】
図１（ａ）、（ｂ）に本発明を適用可能な撮像装置の一実施形態としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。シャッターボタン６１は撮影指示を行うための操作部である。モード切替スイッチ６０は各種モードを切り替えるための操作部である。端子カバー４０は該部機器との接続ケーブルとデジタルカメラ１００とを接続する接続ケーブル等のコネクタ（不図示）を保護するカバーである。メイン電子ダイヤル７１は回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は選択枠の移動や画像送りなどを行う回転操作部材である。十字キー７４は上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７６は、メニューボタンにおいてライブビュー（以下、ＬＶ）のＯＮとＯＦＦを切り替えるボタンである。動画撮影モードにおいては、動画撮影（記録）の開始、停止の指示に用いられる。拡大ボタン７７は、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体１９９に記録された画像のうち最新の画像を表示部２８に表示させることができる。シャッターボタン６１、メイン電子ダイヤル７１、電源スイッチ７２、サブ電子ダイヤル７３、十字キー７４、ＳＥＴボタン７５、ＬＶボタン７６、再生ボタン７９、後述する操作リング２０２は、操作部７０に含まれる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。ファインダ１６はフォーカシングスクリーン１３を観察することで、レンズ部１５０を通して得た被写体の光学像の焦点や構図の確認を行うための覗き込み型のファインダである。蓋１９８は記録媒体１９９を格納ひたスロットの蓋である。グリップ部９０は、ユーザがデジタルカメラ１００を構えた際に右手で握りやすい形状とした保持部である。
【００１２】
外部Ｉ／Ｆ５５は、後述するようにデジタルカメラ１００にレンズ部１５０やアダプタ２００を接続するためのＩ／Ｆである。外部Ｉ／Ｆ５５は、デジタルカメラ１００に接続部５５ａを介してレンズ部１５０やアダプタ２００が装着されると、装着された部材の情報等を取得し、システム制御部５０へと取得した情報を送信する。
【００１３】
図２は、本実施形態によるデジタルカメラ１００の構成例を示すブロック図である。図２において、レンズ部１５０は、交換可能な撮影レンズを搭載するレンズユニットである。
【００１４】
通信端子１０はデジタルカメラ１００がレンズ部１５０側と通信を行う為の通信端子であり、アダプタ２００を介してでも通信可能である。
【００１５】
ＡＥセンサー１７は、レンズ部１５０、クイックリターンミラー１２を通しフォーカシングスクリーン１３上に結像した被写体の輝度を測光する。
【００１６】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は前記デフォーカス量情報に基づいてレンズ部１５０を制御し、位相差ＡＦを行う。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１８】
撮影者は、ペンタプリズム１４とファインダ１６を介して、フォーカシングスクリーン１３上に結像した像を観察することで、レンズ部１５０を通して得た被写体の光学像の焦点状態や構図の確認が可能となる。
【００１９】
シャッター１０１は、システム制御部５０の制御で撮像部２２の露光時間を制御するためのものである。
【００２０】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２３】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２４】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、システム制御部５０の動作用の定数、変数、不揮発性メモリ５６から読み出したプログラム等を展開し、ＲＡＭが用いられる。また、システム制御部はメモリ３２、Ｄ／Ａ変換器１９、表示部２８等を制御することにより表示制御も行う。
【００２５】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２６】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体１９９に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。操作部７０は、ユーザからの操作を受け付ける入力部としての各種操作部材である。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体１９９を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ１８は、メモリカードやハードディスク等の記録媒体１９９とのインターフェースである。記録媒体１９９は、撮影された画像を記録するためのメモリカード等の記録媒体であり、半導体メモリや磁気ディスク等から構成される。
【００３１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体１９９に記録された画像を送信可能であり、また、外部機器から画像データやその他の各種情報を受信することができる。
【００３２】
外部Ｉ／Ｆ５５は、接続されたレンズの種類（ＩＤ）や、アダプタの接続の有無に関する情報を取得可能である。なお、外部Ｉ／Ｆ５５には、レンズを直接接続することも可能であるし、アダプタを介してレンズを接続することも可能である。
【００３３】
図３（ａ）〜（ｃ）は、図２に示すデジタルカメラ１００に接続可能なレンズ部１５０及びアダプタ２００を示す。各図の上側にはブロック図を、下側には回転部材の外観図を示す。レンズ部１５０の外周に沿うように、後述するズームリングとピントリングとは配置され、アダプタの外周に沿うように、後述する操作リングは配置される。アダプタ２００の操作リング２０２は、レンズ鏡筒周りに沿って回転可能な回転部材である。
【００３４】
図３（ａ）は、レンズ部１５０の一例として単焦点のレンズを示している。単焦点のレンズには、広角レンズ、標準レンズ、望遠レンズがある。レンズ１０３は通常、複数枚のレンズから構成されるが、ここでは簡略して一枚のレンズのみで示している。通信端子６はレンズ部１５０がデジタルカメラ１００側（アダプタ２００を介してでも可能）と通信を行う為の通信端子である。レンズ部１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。ピントリング７は、ピントを調整するためのリング操作部材であり、ピントリング７の回転を検知可能なピントリング回転検知部７ａにより回転の有無や回転量が検出され、レンズシステム制御回路４を介してレンズ１０３が制御される。
【００３５】
図３（ｂ）は、レンズ部１５０の一例としてズームレンズを示している。ズームレンズの構成は図３（ａ）に示した単焦点レンズの構成にズーム機能を追加したものである。ズームレンズでは、ズームリング８への回転操作に応じてズームインまたはズームアウトをする。ズームリング８は、ズームを調整するためのリング操作部材であり、ズームリング８の回転を検知可能なズームリング回転検知部８ａにより回転の有無や回転量が検出され、レンズシステム制御回路４を介してズームレンズ１０４が制御される。
【００３６】
図３（ｃ）は、アダプタ２００を示している。アダプタ２００はレンズ部１５０とデジタルカメラ１００の間にマウントを介して装着可能な操作部材である。アダプタ２００には、回転部材である操作リング２０２があり、操作リング２０２の回転に応じて実行する機能を設定可能である。例えば、操作リング２０２の回転に応じて、シャッター速度やＩＳＯ感度等の設定値を変更可能にする。外部Ｉ／Ｆ２０１は、デジタルカメラ１００の外部Ｉ／Ｆ５５、レンズ部１５０の通信端子６と通信可能なＩ／Ｆである。操作リング２０２の回転を検知可能な操作リング回転検知部２０２ａにより回転の有無や回転量が検出され、システム制御部２０３、外部Ｉ／Ｆ２０１を介してデジタルカメラ１００側へと操作リングの操作に関する情報を通信する。
【００３７】
次に、図４を用いて本実施形態における撮影処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影が可能になると開始する。
【００３８】
Ｓ４０１では、システム制御部５０は、レンズが装着されているか否かを判定する。レンズ部１５０が直接デジタルカメラ１００に装着されている、またはアダプタ２００を介して装着されていることを外部Ｉ／Ｆ５５が検出した場合には、Ｓ４０１の判定はＹｅｓとなる。レンズが装着されていると判定した場合は、Ｓ４０２へ進み、そうでない場合は、Ｓ４１８へ進む。
【００３９】
Ｓ４０２では、システム制御部５０は、装着されているレンズ部１５０のＩＤ（レンズ情報）を取得する。レンズのＩＤにより、レンズの種類（ズームレンズか単焦点レンズか、望遠レンズか標準レンズか広角レンズか等）と、各レンズの個体情報とが分かる。
【００４０】
Ｓ４０３では、システム制御部５０は、操作リング２０２（アダプタ２００）が装着されているか否かを判定する。操作リング２０２が装着されていると判定した場合は、Ｓ４０４へ進み、そうでない場合は、Ｓ４１８へ進む。
【００４１】
Ｓ４０４では、システム制御部５０は、操作リング２０２に割り当てる機能を設定する操作がされたか否かを判定する。操作リング２０２に機能を割り当てる場合には、メニュー画面においてレンズに関する項目を選択すると設定可能となる。操作リング２０２には、シャッター速度（Ｔｖ）、絞り（Ａｖ）、ＩＳＯ感度、ホワイトバランス、撮影モードの切り替え等の撮影に関する項目の設定値を変更する機能が割当可能である。レンズ部１５０の近くにある操作部材なので、ユーザはカメラを構えた状態においてわざわざカメラを持ち替えなくても、操作リング２０２を回転することにより設定した項目の設定変更が可能となる。操作リング２０２に割り当てる機能を設定する操作がされたと判定した場合は、Ｓ４０５へ進み、そうでない場合は、Ｓ４０６へ進む。
【００４２】
Ｓ４０５では、システム制御部５０は、設定された機能を現在装着されているレンズ部１５０のＩＤに対応させて、不揮発性メモリ５６に記録する。このように、装着されているレンズ部１５０毎に操作リング２０２に割り当てる機能を設定することができる。
【００４３】
Ｓ４０６では、システム制御部５０は、Ｓ４０２で取得したレンズのＩＤに対応する操作リングの機能が設定されているか否かを判定する。すなわち、現在装着中のレンズの装着時に操作リングに割り当てる機能が設定されているか否かを、不揮発性メモリ５６の情報を見て取得する。すでに現在装着中のレンズの装着時に操作リングに割り当てる機能がユーザにより設定されている場合には、Ｓ４０７へ進み、そうでない場合は、Ｓ４０８へ進む。
【００４４】
Ｓ４０７では、システム制御部５０は、操作リング２０２に割り当てる機能をシステムメモリ５２に記録する。システムメモリ５２に記録することにより、システム制御部５０は、操作リング２０２の回転量に応じた機能の実行を制御することができる。例えば、ＩＳＯ感度の設定変更が割り当てられている場合には、操作リング２０２の回転量に応じてＩＳＯ感度が変更される。
【００４５】
Ｓ４０８〜Ｓ４１４は、現在のレンズにおいて、未だユーザにより操作リング２０２に割り当てる機能が設定されていない場合に、新たに操作リング２０２に機能を割り当てる処理である。ただし、ここで、割り当てられた機能はメニュー画面の設定とは異なり、デジタルカメラ１００の電源のＯＦＦに応じて削除（不揮発性メモリ５６に記録せず、システムメモリ５２に記録する）するようにしてもよい。
【００４６】
Ｓ４０８では、システム制御部５０は、現在装着されているレンズが望遠レンズであるか否かを判定する。図５（ａ）〜（ｅ）は、アダプタ２００の操作リング２０２と、レンズ部１５０の各リング（ピントリング７、ズームリング８の関係を示した図である。図５（ａ）〜（ｃ）は単焦点レンズ、（ｄ）、（ｅ）はズームレンズを示している。Ｓ４０８においては、図５（ｃ）または（ｅ）に示す望遠レンズが装着されている場合にＹｅｓと判定される。望遠レンズであると判定した場合は、Ｓ４０９へ進み、そうでない場合は、Ｓ４１０へ進む。望遠レンズであるか否かの判定（所定の条件を満たすか否か）は、焦点距離が所定以上であるか否かにより判定する。
【００４７】
Ｓ４０９では、システム制御部５０は、操作リング２０２の機能としてＴｖ値の設定値の変更を割り当て、システムメモリ５２に記録する。また、望遠レンズ時は動体の被写体を撮影するケースが多いと考えられるので操作リング２０２にＴｖ値を変更する機能を割り当てると、ユーザはわざわざメニュー画面において設定をせずに撮影を行うことができる。また、望遠レンズを使用した場合には、そもそもボケの効果がかかりやすいため、Ａｖ値を標準レンズほど変更しなくても、ユーザ所望のボケの効果が得られる可能性が高い。また、望遠レンズの場合には、設定可能なＡｖ値の範囲が狭まっていくため、Ｔｖ値の設定値を変更できた方が、操作しやすい位置にある操作リング２０２を有効活用できる。
【００４８】
Ｓ４１０では、システム制御部５０は、現在装着されているレンズがズームレンズであるか否かを判定する。図５（ｄ）、（ｅ）に示すズームレンズのうち、（ｄ）に示す標準ズームレンズが装着されていると判定した場合には、Ｓ４１０の判定はＹｅｓとなる。標準ズームレンズにおいては、レンズ部１５０においてズームリングとピントリングとの２つがあるため、それぞれの操作時に他方のリングを意図せず操作しないように、互いの距離がなるべく遠くなるように配置されている。すなわち、ズームリングとピントリングとが、リングの端に近い位置に配置される。一方で、望遠ズームレンズの場合には、標準ズームレンズよりもそもそもレンズの距離が長いため、ズームリングとピントリングの距離とを十分にとっても、標準ズームレンズほど端に近い位置には各リングは配置されない。アダプタを装着した場合、標準ズームレンズでは、アダプタ２００の操作リング２０２と、レンズ部１５０のカメラ側の端の近くに位置するズームリングとの距離が近くなる。よって、ユーザは意図せず、ズームリングの操作時に操作リング２０２を回転してしまったり、反対に、操作リング２０２の回転時にズームリングを回転してしまう可能性がある。よって、Ｓ４０８の判定でＮｏ、Ｓ４１０の判定でＹｅｓと判定された場合、すなわち装着中のレンズが標準ズームレンズである場合には、操作リング２０２に機能を割り当ててよいかをＳ４１１において確認する。ズームレンズであると判定した場合は、Ｓ４１１へ進み、そうでない場合は、Ｓ４１２へ進む。
【００４９】
Ｓ４１１では、システム制御部５０は、操作リング２０２にＡｖ値の設定値の変更を割り当てるか否かのガイドを表示部２８に表示する。Ｓ４１１においては、図６（ａ）に示すように、表示部２８に操作リングにＡｖ値の設定変更を割り当ててよいか否かを示すガイド６０１を表示部２８に表示する。
【００５０】
Ｓ４１２では、システム制御部５０は、操作リング２０２にＡｖ値の設定値の変更が割り当てられたか否かを判定する。図６（ａ）に示すガイド６０１と共に、ＯＫを示すアイテム６０２が表示され、アイテム６０２を選択することにより、操作リング２０２の機能がＡｖ値の設定値の変更に設定される。また、ガイド６０１と共に操作リング２０２に割り当てる機能をＡｖ値の変更から他の機能に変更するための変更を示すアイテム６０３が表示される。アイテム６０３が選択されると、Ｓ４１２の判定がＮｏとなる。Ａｖ値の設定値の変更を操作リング２０２に割り当てる設定がされた（ＯＫが選択された）と判定した場合は、Ｓ４１３へ進み、そうでない場合は（変更が選択された）、Ｓ４１４へ進む。
【００５１】
Ｓ４１３では、システム制御部５０は、操作リング２０２の機能としてＴｖ値の設定値の変更を割り当て、システムメモリ５２に記録する。広角、標準レンズを使用する場合は静物を取ることが多く被写界深度を変えながら構図を決める可能性が高い。よって、操作リング２０２にＡｖ値の設定変更を割り当てるようにすると、ユーザはわざわざメニュー画面において設定をせずに撮影を行うことができる。
【００５２】
Ｓ４１４では、システム制御部５０は、操作リング割当機能の設定画面を表示部２８に表示する。Ｓ４１４においては、図６（ｂ）に示すように、設定画面においては、アイテム６０４〜アイテム６０７が表示され、ユーザは各アイテムを選択することにより、操作リング２０２に割り当てる機能を設定することができる。アイテム６０４はＴｖ値、アイテム６０５はＩＳＯ感度、アイテム６０６はＷＢ（ホワイトバランス）、アイテム６０７はなし（いずれの機能も設定しない）を示す。また、アイテム６０８を選択すると元のガイド６０１の表示される画面へと戻ることができる。設定画面において、ユーザに選択されたアイテムに対応する機能がＳ４０７において設定される。Ｓ４１４において機能が設定された場合には、レンズ部１５０のＩＤと対応づけて不揮発性メモリ５６に機能を記録する。
【００５３】
Ｓ４１５では、システム制御部５０は、操作リング２０２への操作が受け付けられたか否かを判定する。Ｓ４１５においては、外部Ｉ／Ｆ５５を介して操作リング２０２の操作がされたか否かの情報を取得し判定をする。操作リング２０２への操作が受け付けられたと判定した場合は、Ｓ４１６へ進み、そうでない場合は、Ｓ４１８へ進む。
【００５４】
Ｓ４１６では、システム制御部５０は、操作リング２０２の操作量を取得する。
【００５５】
Ｓ４１７では、システム制御部５０は、Ｓ４１６において取得した操作量に応じて、システムメモリ５２に記録されている機能を実行する。
【００５６】
Ｓ４１８では、システム制御部５０は、シャッターボタン６１の押下により、撮影指示がされたか否かを判定する。撮影指示がされたと判定した場合は、Ｓ４１９へ進み、そうでない場合は、Ｓ４２０へ進む。
【００５７】
Ｓ４１９では、システム制御部５０は、撮影処理を行う。操作リング２０２により設定値が変更された場合には、設定変更された設定値において撮影が行われる。撮影処理においては、撮像部２２において取得された撮像画像が記録媒体１９９に記録される。
【００５８】
Ｓ４２０では、システム制御部５０は、撮影処理を終了するか否かを判定する。デジタルカメラ１００の電源のＯＦＦがされた場合には、撮影処理が終了する。撮影処理を終了すると判定した場合は、撮影処理を終了し、そうでない場合はＳ４０１へ戻る。
【００５９】
以上、説明した実施形態によれば、装着するレンズがどの種類のレンズであっても、レンズ部近くにある操作リングを操作性良く操作することができる。望遠レンズの場合には、Ｔｖ値の設定変更を操作リングに割り当て、標準レンズ、広角レンズの場合には、Ａｖ値の設定変更を操作リングに割り当て、ユーザは使用する可能性の高い機能をユーザの設定なしに使用できる。また、操作リング２０２はレンズ部１５０近くにあり、カメラを構えた状態で操作をしやすいため、撮影時に設定変更する可能性の高い機能を割り当てることにより、素早く設定変更ができ、ユーザの操作性が向上する。
【００６０】
また、標準ズームのようにレンズ部１５０側のリングと、操作リング２０２とが近くなる場合には、カメラ側で機能を設定せずにユーザに確認をするようにする。なお、このとき、操作リング２０２とズームリングとが近くなっていることを表示してもよい。
【００６１】
標準レンズは、単焦点の場合にはＡｖ値を設定し、ズームレンズの場合には設定はしないが確認画面においてＡｖ値に設定をしていいか確認するガイドを表示する。ユーザがメニュー画面において操作リング２０２に割り当てる機能を設定する場合には、どの種類のレンズにどの機能を割り当てるのかを考える必要がある。本実施形態のように、カメラ側がＡｖ値の設定変更を設定したり、ガイド表示してＡｖ値の設定変更を提示すると、ユーザはメニュー画面で考えながら設定しなくても、標準レンズを装着するだけ、または確認画面で提示される機能を選択するだけでよい。
【００６２】
なお、メニュー画面においてはＩＤごとの設定でなくても、望遠レンズの場合、標準レンズの場合、広角レンズの場合とでそれぞれ機能を設定するようにしてもよい。ただし、標準ズームレンズが装着された場合には、Ｓ４１１〜Ｓ４１４の処理を行うようにすると、意図せず設定値が変更される可能性が低減する。
【００６３】
また、広角、標準、広角のいずれのレンズであるかは、閾値を設けて判定してもよい。例えば、広角は３０ｍｍ以下、標準は３０ｍｍ〜２００ｍｍ、望遠は２００ｍｍ〜としてもよい。
【００６４】
また、レンズ部１５０とアダプタ２００とが一体に設けられた場合にも本実施形態は適用可能である。さらに、操作リング２０２は、レンズ部１５０とデジタルカメラ１００の間でなくても、レンズ部１５０付近のデジタルカメラ１００の正面等のグリップ部９０を持った状態で操作可能な位置でもよい。
【００６５】
なお、ピントリングは電子式でも、リングの回転に応じて機械的にレンズが移動する方式でもよい。
【００６６】
また、操作リング２０２の機能の設定は装着レンズに対して行うものとしてもよいし、装着するレンズに関わらず設定するようにしてもよい。ただし、標準ズームレンズのときには確認画面を表示するようにする。操作リング２０２の機能の設定のクリアは装着レンズに対して行えるようにしてもよいし、全レンズに対して行えるようにしてもよい。また、操作リング２０２の回転方向と、機能の実行の内容（設定値の増減方向）とを設定可能としてもよいが、この設定は全レンズ共通で行うようにする。
【００６７】
なお、カメラ側とレンズ側の通信が正常にできず、レンズのＩＤを取得できない場合は、ＴｖまたはＡｖのいずれかの設定変更を機能として設定する。
【００６８】
また、すでに操作リング２０２の機能が設定されている場合には、レンズの装着時に表示部２８に設定中の機能を表示するとユーザがどの機能が設定されているか記憶していなくても、スムーズに操作を行うことができる。さらに、Ａｖ値やＴｖ値をカメラ側で設定する場合には、操作リングの機能としてＡｖ値（Ｔｖ値）を設定したことを示すガイドを表示すると、機能が設定されたことを認識できるので有効である。さらに、メニュー画面における設定操作をしなくてもよいことが分かるので、ユーザがどの機能が設定されているのか、または設定操作を行わなければならないのかを考える必要がない。
【００６９】
また、レンズ側に操作リングに割り当てるおすすめ機能を記録しておき、デジタルカメラ１００で取得したレンズ側からの情報に応じて、機能を設定してもよい。
【００７０】
なお、上述の実施形態においては、Ｔｖ値の設定変更の機能と、Ａｖ値の設定変更の機能とをレンズの種類に応じて設定することを説明したが、撮影モードに応じては異なる機能を割り当てるようにしてもよい。つまり、望遠レンズの装着時であっても、Ａｖモードである場合には、Ａｖ値の設定変更を割当、標準レンズの装着時であっても、Ｔｖモードである場合にはＴｖ値の設定変更を割当るようにしてもよい。
【００７１】
なお、システム制御部５０が行うものとして説明した上述の各種の制御は１つのハードウェアが行ってもよいし、複数のハードウェアが処理を分担することで、装置全体の制御を行ってもよい。
【００７２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７３】
また、上述した実施形態においては、本発明をデジタルカメラ１００に適用した場合を例にして説明したが、これはこの例に限定されず、操作リングに機能を割り当てることのできるような撮像制御装置であれば適用可能である。すなわち、本発明は操作リングを装着可能な携帯電話端末や携帯型の画像ビューワ、ファインダを備えるプリンタ装置、デジタルフォトフレーム、音楽プレーヤー、ゲーム機、電子ブックリーダーなどに適用可能である。
【００７４】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2019040044.tif 000003
【図２】
2019040044.tif 000004
【図３】
2019040044.tif 000005
【図４】
2019040044.tif 000006
【図５】
2019040044.tif 000007
【図６】
2019040044.tif 000008